(57)【要約】【課    題】極小導電性異物でも精度よく検出できる異物検知装置の提供。【解決手段】電気絶縁性シートを支持しながら所定方向へ案内する支持手段と、前記支持手段の途中に位置し、（ｉ−１）前記電気絶縁性シートの厚さ方向に垂直な片面側に配設された１又は複数のコロナ放電電極と（ｉ−２）前記電気絶縁性シートの厚さ方向に垂直な他面側に上記コロナ放電電極と対向して配設された電気絶縁性の支持体と（ｉ−３）電圧印加手段とからなる（ｉ）第１のコロナ放電装置と、（ｉｉ−１）上記他面側に配設された１又は複数のコロナ放電電極と（ｉｉ−２）上記片面側に配設された前記コロナ放電電極と対向して配設された電気絶縁性の支持体と（ｉｉ−３）電圧印加手段とからなる（ｉｉ）第２のコロナ放電装置と、コロナ放電によって発光している前記電気絶縁性シートに混在する導電性異物を検知する検知手段とを備えていることを特徴とする異物検知装置。【選択図】  なし【特許請求の範囲】
【請求項１】
電気絶縁性シートを支持しながら所定方向へ案内する支持手段と、前記支持手段の途中に位置し、（ｉ−１）前記電気絶縁性シートの厚さ方向に垂直な片面側に配設された１又は複数のコロナ放電電極と（ｉ−２）前記電気絶縁性シートの厚さ方向に垂直な他面側に上記コロナ放電電極と対向して配設された電気絶縁性の支持体と（ｉ−３）電圧印加手段とからなる（ｉ）第１のコロナ放電装置と、（ｉｉ−１）上記他面側に配設された１又は複数のコロナ放電電極と（ｉｉ−２）上記片面側に配設された前記コロナ放電電極と対向して配設された電気絶縁性の支持体と（ｉｉ−３）電圧印加手段とからなる（ｉｉ）第２のコロナ放電装置と、コロナ放電によって発光している前記電気絶縁性シートに混在する導電性異物を検知する検知手段とを備えていることを特徴とする異物検知装置。
【請求項２】
電気絶縁性の支持体がゴムローラであることを特徴とする請求項１記載の異物検知装置。
【請求項３】
検知手段が、さらに、コロナ放電によって電気絶縁性シートに混在する導電性異物が発光している場合、その発光位置を電気絶縁性シートの二次元画像又はマトリックスで特定することを特徴とする請求項１又は２に記載の異物検知装置。
【請求項４】
さらに、検知情報を表示する表示手段を備えていることを特徴とする請求項１〜３のいずれかに記載の異物検知装置。
【請求項５】
支持手段が、ゴムを構成材料とすることを特徴とする請求項１〜４のいずれかに記載の異物検知装置。
【請求項６】
電気絶縁性シートがガラスクロスであることを特徴とする請求項１〜５のいずれかに記載の異物検知装置。
【請求項７】
請求項１〜６のいずれかに記載の異物検出装置を用いて電気絶縁性シートに混在する導電性異物を検知することを特徴とする異物検知方法。
【請求項８】
請求項７記載の異物検知方法を用いることによって電気絶縁性シートに混在する導電性異物が検知され、検知された導電性異物が除去されていることを特徴とする電気絶縁性シート。
【請求項９】
ガラスクロスであることを特徴とする請求項８記載の電気絶縁性シート。
【発明の詳細な説明】
【０００１】
【発明の属する技術分野】
本発明は、電気絶縁性シートの異物検知装置に関する。
【０００２】
【従来の技術】
ガラスクロスは現在様々な分野で用いられている工業用材料のひとつであるが、その主要な用途にプリント基板の基材としての使用がある。近年、プリント基板の分野では、軽薄化や回路の高密度化に係わる技術の発展がめざましく、基材として用いられるガラスクロスの電気絶縁性を、従来より一層高度に保証することが必要となってきた。電気絶縁性がガラスクロスの最も基本的かつ重要な要求特性であるのは従来から周知の通りである。ガラスクロスを工業生産する過程において、ガラスクロスに鉄やステンレス鋼などの導電性異物が付着混入することがあり、導電性異物が付着混入したガラスクロスは、電気絶縁性が損なわれ、プリント基板に使用されると、回路をショートさせるなどの重大な問題を引き起こす。このような事態を未然に防ぐための対策として、ガラスクロスの製造ラインには従来から各種導電性異物の検知装置や除去装置などが設置されてきた。
【０００３】
従来、このような導電性異物を取り除くために、多種多様な形状を有する各種のマグネット棒を使用するのが一般的であった。しかし、この方法では、着磁性のある鉄やステンレス鋼などの導電性異物は除去できるものの、アルミニウムや銅といった非着磁性の導電性異物は除去することができないという問題があった。またガラスクロスに突き刺さるような状態で付着している導電性異物の場合には、それらを完全に取り除くのは困難であった。
【０００４】
上記の問題を解決するために、各種の導電性異物検知装置を導入するような対策も考えられた。多くの場合このような導電性異物検知装置は、均一に分布させた磁界中に被検査物を通し、もし導電性異物が混入していると磁界に変化が生じるから、この磁界の変化をとらえて混入した導電性異物を発見する（特許文献１、２）。しかしこのような検知装置でも、検知できる導電性異物の材質が鉄やステンレス鋼などの磁性体に限られており、アルミニウムや銅等の非磁性体である導電性異物は検知できなかった。また、大きさが約５０μｍ程度以下の極小導電性異物を検知するのが難しく、問題を解決するには至っていなかった。
【０００５】
また、電極ローラと電極板を用いる導電性異物検出装置も検討されている（特許文献３）。この公知発明は、印加された２つの電極間に絶縁性シートを走行させながら、絶縁破壊によって生じた放電によって導電性異物を検出する発明であるが、大きさが約５０μｍ程度以下の極小導電性異物を検出する場合、絶縁破壊によって放電を生じせしめるために、絶縁破壊距離を極度に狭く設定せねばならず、なおかつ、絶縁破壊を発生させるために、検出装置の印加電圧を高電圧に設定せねばならなかった。さらに、導電性異物は、通常、電気絶縁性シート表面に対して静電的に吸着したり、物理的に埋没したりするなどして種々の付着形態をとるが、導電性異物の付着形態によって見かけ上の電気絶縁性シートの厚さ方向での大きさが多様に変化し、その結果、設定された絶縁破壊距離によっては、同じ大きさの導電性異物であっても検出されたり、されなかったりといった検出精度の信頼性が損なわれるなどの問題があった。
【０００６】
【特許文献１】
特開平１１−２３７２５号公報
【特許文献２】
特開２００１−４７５９号公報
【特許文献３】
特開２００２−２４３７９１号公報
【０００７】
【発明が解決しようとする課題】
本発明は、絶縁破壊距離の変化の影響を受けにくい、大きさが約５０μｍ以下の極小導電性異物でも精度よく検出できる異物検知装置を提供することを目的とする。
【０００８】
【課題を解決するための手段】
本発明者らは、上記目的を達成すべく鋭意検討した結果、電気絶縁性シートを支持しながら所定方向へ案内する支持手段と、前記支持手段の途中に位置し、（ｉ−１）前記電気絶縁性シートの厚さ方向に垂直な片面側に配設された１又は複数のコロナ放電電極と（ｉ−２）前記電気絶縁性シートの厚さ方向に垂直な他面側に上記コロナ放電電極と対向して配設された電気絶縁性の支持体と（ｉ−３）電圧印加手段とからなる（ｉ）第１のコロナ放電装置と、（ｉｉ−１）上記他面側に配設された１又は複数のコロナ放電電極と（ｉｉ−２）上記片面側に配設された前記コロナ放電電極と対向して配設された電気絶縁性の支持体と（ｉｉ−３）電圧印加手段とからなる（ｉｉ）第２のコロナ放電装置と、コロナ放電によって発光している前記電気絶縁性シートに混在する導電性異物を検知する検知手段とを備えていることを特徴とする異物検知装置が、絶縁破壊によって生じる放電を検出するのではなく、コロナ放電発光を絶縁性シートの両表面で検出するので、絶縁破壊距離の変化の影響を受けにくいこと、大きさが約５０μｍ以下の極小導電性異物でも精度よく検知できること等を知見し、上記問題点を一挙に解決することを見出した。本発明者らは、電気絶縁性シートに混在する導電性異物の検知に、電気絶縁性シートの両表面に対して電場が局所的に高い部分で放電が生じるコロナ放電を効率的に利用することで、導電性異物の大きさにかかわらず、電気絶縁性シートに混在している導電性異物に起因するコロナ放電発光を精度よく発見できることを見出した。
本発明者らは、かかる種々の知見を得た後、さらに検討を重ね、本発明を完成するに至った。
【０００９】
すなわち、本発明は、
（１）  電気絶縁性シートを支持しながら所定方向へ案内する支持手段と、前記支持手段の途中に位置し、（ｉ−１）前記電気絶縁性シートの厚さ方向に垂直な片面側に配設された１又は複数のコロナ放電電極と（ｉ−２）前記電気絶縁性シートの厚さ方向に垂直な他面側に上記コロナ放電電極と対向して配設された電気絶縁性の支持体と（ｉ−３）電圧印加手段とからなる（ｉ）第１のコロナ放電装置と、（ｉｉ−１）上記他面側に配設された１又は複数のコロナ放電電極と（ｉｉ−２）上記片面側に配設された前記コロナ放電電極と対向して配設された電気絶縁性の支持体と（ｉｉ−３）電圧印加手段とからなる（ｉｉ）第２のコロナ放電装置と、コロナ放電によって発光している前記電気絶縁性シートに混在する導電性異物を検知する検知手段とを備えていることを特徴とする異物検知装置、
（２）  電気絶縁性の支持体がゴムローラであることを特徴とする（１）記載の異物検知装置、
（３）  検知手段が、さらに、コロナ放電によって電気絶縁性シートに混在する導電性異物が発光している場合、その発光位置を電気絶縁性シートの二次元画像又はマトリックスで特定することを特徴とする（１）又は（２）に記載の異物検知装置、
【００１０】
（４）  さらに、検知情報を表示する表示手段を備えていることを特徴とする（１）〜（３）のいずれかに記載の異物検知装置、
（５）  支持手段が、ゴムを構成材料とすることを特徴とする（１）〜（４）のいずれかに記載の異物検知装置、
（６）  電気絶縁性シートがガラスクロスであることを特徴とする（１）〜（５）のいずれかに記載の異物検知装置、
（７）  （１）〜（６）のいずれかに記載の異物検出装置を用いて電気絶縁性シートに混在する導電性異物を検知することを特徴とする異物検知方法、
（８）  （７）記載の異物検知方法を用いることによって電気絶縁性シートに混在する導電性異物が検知され、検知された導電性異物が除去されていることを特徴とする電気絶縁性シート、
（９）  ガラスクロスであることを特徴とする（８）記載の電気絶縁性シート、
に関する。
【００１１】
【発明の実施の形態】
本発明は、電気絶縁性シートを支持しながら所定方向へ案内する支持手段と、前記支持手段の途中に位置し、（ｉ−１）前記電気絶縁性シートの厚さ方向に垂直な片面側に配設された１又は複数のコロナ放電電極と（ｉ−２）前記電気絶縁性シートの厚さ方向に垂直な他面側に上記コロナ放電電極と対向して配設された電気絶縁性の支持体と（ｉ−３）電圧印加手段とからなる（ｉ）第１のコロナ放電装置と、（ｉｉ−１）上記電気絶縁性シートの厚さ方向に垂直な他面側に配設された１又は複数のコロナ放電電極と（ｉｉ−２）上記電気絶縁性シートの厚さ方向に垂直な片面側に配設された前記コロナ放電電極と対向して配設された電気絶縁性の支持体と（ｉｉ−３）電圧印加手段とからなる（ｉｉ）第２のコロナ放電装置と、コロナ放電によって発光している前記電気絶縁性シートに混在する導電性異物を検知する検知手段とを備えていることを特徴とする異物検知装置である。
【００１２】
本発明の装置によって検知される導電性異物は、導電性を有するものであればどのようなものでもよい。例えば、鉄、ステンレス鋼、アルミニウム、銅または炭素等が挙げられる。このような導電性異物の形状は、どのような形状であってもよい。粒状であってもよいし、繊維状であってもよいし、粉末状であってもよい。塊状であってもよいし、針状であってもよい。
【００１３】
本発明で使用される電気絶縁性シートは、電気絶縁性を有するシート状のものであればどのようなものでもよい。繊維製品であってもよいし、フィルムであってもよい。繊維製品とフィルムの複合体であってもよい。上記繊維製品は、織物であってもよいし、編物であってもよい。不織布であってもよい。上記繊維製品の構成繊維は、電気絶縁性を有する繊維であればどのような繊維であってもよい。例えば、ガラス繊維若しくはシリカ−アルミナ繊維などの無機繊維、又はアラミド繊維若しくはポリエステル繊維等の有機繊維などが挙げられる。
本発明においては、上記電気絶縁性シートがガラスクロスであるのが好ましく、プリント配線板用ガラスクロスであるのがより好ましい。
【００１４】
本発明で使用される支持手段は、上記電気絶縁性シートを支持しながら所定方向へ案内できさえすればどのような手段であってもよい。公知の手段であってもよい。例えば、ローラ又はベルト等を用いる手段などが挙げられる。このような手段に用いられるローラ又はベルト等は公知のものであってよい。導電性を有していてもよいし、電気絶縁性を有していてもよいが、電気絶縁性のものが好ましい。上記ローラとしては、例えば金属ローラ又はゴムローラなどが挙げられるが、電気絶縁性のゴムローラが好ましい。上記ベルトとしては、例えばゴムベルト等が挙げられる。
【００１５】
本発明で使用される第１のコロナ放電装置は、（イ）上記電気絶縁性シートの厚さ方向に垂直な片面側に配設された１又は複数のコロナ放電電極と（ロ）上記電気絶縁性シートの厚さ方向に垂直な他面側に上記コロナ放電電極と対向して配設された電気絶縁性の支持体と（ハ）電圧印加手段とからなるものであればどのようなものでもよい。本発明においては、上記第１のコロナ放電装置が単数で用いられてもよいし、複数で用いられてもよい。
また、本発明で使用される第２のコロナ放電装置は、（イ）上記電気絶縁性シートの厚さ方向に垂直な他面側に配設された１又は複数のコロナ放電電極と（ロ）上記電気絶縁性シートの厚さ方向に垂直な片面側に配設された前記コロナ放電電極と対向して配設された電気絶縁性の支持体と（ハ）電圧印加手段とからなるものであればどのようなものでもよい。
本発明においては、上記第２のコロナ放電装置が単数で用いられてもよいし、複数で用いられてもよい。
【００１６】
本発明で電気絶縁性の支持体とともに使用されるコロナ放電電極は、コロナ放電を発生させることができる電極であればどのような電極であってもよい。上記電気絶縁性シートの厚さ方向に垂直な片面側に電気絶縁性シートの幅方向をカバーするように配設される電極でもあってよいし、ディスク状のコロナ放電電極を電気絶縁性シートに対して千鳥配列などの配列様式で複数個設置したものであってもよい。本発明においては、上記コロナ放電電極が線条のコロナ放電電極（コロナバー）であるのが好ましい。上記コロナ放電電極は、単数で本発明に用いられてもよいし、複数で用いられてもよい。なお、図１に示すように、コロナ放電電極の数は、併用される電気絶縁性の支持体の数と異なっていてもよい。また、本発明においては、上記コロナ放電の電力密度が約１００〜７００Ｗ・ｍｉｎ／ｍ２であるのが好ましいが、通常、電気絶縁性シートの種類若しくは厚さ、又はライン速度等によって適宜に設定され得る。
【００１７】
本発明で上記コロナ放電電極とともに使用される電気絶縁性の支持体は、上記電気絶縁性シートを支持し得る電気絶縁性の支持体であって、上記電気絶縁性シートの厚さ方向に垂直な他面側に上記コロナ放電電極と対向して配設されるものであればどのようなものであってもよい。ローラであってもよいし、ベルトであってもよい。本発明においては、上記電気絶縁性の支持体が、ゴムを構成材料とするのが好ましく、ゴムローラであるのがより好ましい。ゴムは、電気絶縁性を有してさえいれば天然ゴムでも合成ゴムでもよい。本発明によれば、上記電気絶縁性の支持体と上記支持手段で用いられる支持体とが同じものであってもよい。両者は合体されていてもよいし、分離されていてもよい。
【００１８】
本発明で使用される電圧印加手段は、交流電圧を用いる手段であってもよいし、直流電圧を用いる手段であってもよいが、交流電圧を用いる手段であるのが好ましい。
【００１９】
本発明においては、上記コロナ放電電極と上記電気絶縁性シートとの間の距離が約０．１〜２０ｍｍの範囲内であるのが好ましく、約１〜２ｍｍの範囲内であるのがより好ましい。また、本発明においては、搬送中の電気絶縁性シートの走行ばたつきを抑える目的で、図１若しくは図２に示すようにコロナ放電が処置されるロールの前後に支持ロールを付設するのが好ましい。
【００２０】
本発明で使用される検知手段は、コロナ放電によって上記電気絶縁性シートに混在する導電性異物が発光しているか否かを検知できさえすればどのような手段であってもよい。公知の手段であってよい。例えば、上記発光の波長を検知する手段又は上記発光の画像を検知する手段などが挙げられ、より具体的には、光センサー又はＣＣＤカメラ並びにＣＰＵ等を用いる手段などが挙げられる。
【００２１】
上記光センサーを用いる手段としては、例えば、コロナ放電によって上記電気絶縁性シートに混在する上記導電性異物が発光し得る電気絶縁性シート部分に、コロナ放電中、光センサーを用いることにより上記発光の有無を検知する手段などが挙げられる。上記光センサーは、上記発光を検知できればどのようなセンサーでもよい。公知のセンサーであってもよい。例えば、ラインセンサーなどが挙げられる。
【００２２】
上記ＣＣＤカメラ並びにＣＰＵを用いる手段としては、例えば、ＣＣＤカメラを用いて、コロナ放電中に、コロナ放電によって上記電気絶縁性シートに混在する上記導電性異物が発光し得る電気絶縁性シート部分の画像を撮影し、その撮影した画像をＣＰＵでもって上記発光を検知する手段などが挙げられ、好ましい例としては、ＣＣＤカメラを用いて、コロナ放電中に、コロナ放電によって上記電気絶縁性シートに混在する上記導電性異物が発光し得る電気絶縁性シート部分の画像を撮影し、ＣＰＵを用いて撮影された画像が発光条件を満たすかどうかを判定することにより上記発光の有無を検知する手段などが挙げられる。上記ＣＣＤカメラとしては、例えば、デジタルカメラ、ビデオカメラ、アナログカメラ又はスキャナー等が挙げられる。上記発光条件としては、光度、明度又は色相等の条件が挙げられる。このような条件は、上記電気絶縁性シート、上記ＣＣＤカメラの種類又は上記異物検知装置を用いる場所の明るさ等によって適宜に設定され得る。
【００２３】
本発明においては、上記検知手段が、さらに、コロナ放電によって電気絶縁性シートに混在する上記導電性異物が発光している場合、その発光位置を検知するのが好ましく、上記発光位置が、画像又はマトリックスでもって特定される位置であるのが好ましい。上記画像としては、例えば、二次元画像、三次元画像又は編集処理された画像などが挙げられる。本発明においては、上記画像が二次元画像であるのが好ましい。上記マトリックスは、数あるいは文字等を上記電気絶縁性シートに並べたものであるが、並べ方等特に限定されない。このようなマトリックスで特定される位置としては、例えば座標等が挙げられ、より具体的には、上記電気絶縁性シートの短尺方向にＸ軸、長尺方向にＹ軸及び所望により厚さ方向にＺ軸等の座標軸をとることにより表される座標などが挙げられる。
【００２４】
本発明によれば、上記異物検知装置に、さらに、表示手段が備えられているのが好ましい。上記表示手段は、上記検知手段でもって得られた検知情報を表示できさえすればどのような手段であってもよい。公知の手段であってよい。例えば、公知の表示装置を用いる手段などが挙げられ、より具体的には、ディスプレイ、音声或いはブザー、又はランプ等を用いて表示する手段などが挙げられる。上記表示手段に使用される検知情報としては、例えば上記画像又は上記マトリックスなどが挙げられる。これらを単独で上記表示手段に用いてもよいし、２種以上組み合わせて用いてもよい。
【００２５】
本発明の異物検知装置は電気絶縁性シートの製造工程の各工程に用いられ得る。前記各工程としては、例えば、電気絶縁性シートがプリント配線板用ガラスクロスの場合、▲１▼ガラス繊維を織布する工程、▲２▼所望により集束剤を除去する工程、▲３▼カップリング剤で表面処理する工程、▲４▼所望により房耳を切断除去する工程、又は▲５▼製品検査する工程などが挙げられるが、これらの中でも、商品の品質信頼性の観点から製品出荷に近い工程であるのが好ましい。また、本発明の異物検知装置を例えば上記した▲３▼カップリング剤で表面処理する工程以降の工程（▲３▼〜▲５▼のいずれかの工程）で用いる場合、工程のライン速度、コロナ放電の電力密度等を適宜に設定することで、ガラスクロス表面に付着している表面処理剤をコロナ放電によって分解させることがなく、精度よく上記導電性異物を検知し得る。
本発明においては、コロナ放電の電力密度が、通常、電気絶縁性シートの種類若しくは厚さ、ライン速度などに応じて適宜に設定されるが、約１００〜７００Ｗ・ｍｉｎ／ｍ２であるのが好ましい。上記ライン速度は、工程等によって適宜に設定され得る。
【００２６】
また、本発明によれば、上記表示手段による表示が行われた後に、上記電気絶縁性シートに混在する上記導電性異物を除去するのが好ましい。このような除去手段は、上記電気絶縁性シートに混在する上記導電性異物を除去できさえすればどのような手段であってもよく、例えば人力又は下記の切断処理導電性異物を除去するなどの公知の手段であってよい。検知された導電性異物を含んだ部分を切断除去してもよい。また、必要に応じて切断除去後、残余の電気絶縁性シートをヒートシールテープなどでつなぎ合わせてもよい。
【００２７】
【実施例】
以下、図面を用いて本発明の好ましい態様を説明する。
図１は、本発明の異物検知装置の模式図である。図２は、本発明の線条のコロナ放電電極を用いる場合の異物検知装置の模式図である。図１又は図２に示すように上記電気絶縁性シート２が、ゴムローラ３に支持されながら所定方向に案内される。ついで、上記電気絶縁性シート２は絶縁性の支持体としてのゴムローラ５に支持されるが、この際、上記コロナ放電電極１、ゴムローラ５及び交流電圧６を具備するコロナ放電装置によってコロナ放電を生じせしめる。そのコロナ放電によって、上記電気絶縁性シート２に混在する上記導電性異物を発光させ、ついで光センサー（図示せず）、表示ブザー（図示せず）及び二次元マップモニター（図示せず）を具備する検知器４を起動し、上記導電性異物の発光及びその発光位置が検知器４の光センサー（図示せず）でもって検知されると、検知器４のブザー（図示せず）が鳴る。このように導電性異物が電気絶縁性シート中に混入しておれば、その存在と混入位置がモニターに表示される二次元マップにより特定できるので、適宜当該工程若しくはその後に引き続き行われる検査工程で上記除去手段を用いて、検知された導電性異物を含んだ部分を切断除去する。
【００２８】
上記異物検知装置においては、ライン速度とコロナ放電出力レベルとを組み合わせて調整するのが好ましい。例えば、ライン速度を高速にするとともに、コロナ放電出力レベルを強くして調整するなどが挙げられる。
【００２９】
本発明の異物検知装置は、上記電気絶縁性シートを案内しながら、その電気絶縁性シートに混在する上記導電性異物を検知し得る。また、上記異物検知装置は上記電気絶縁性シートの特定箇所を手軽に検知し得る。本発明の異物検知装置は、通常、電気絶縁性シートに混在する導電性異物の検知に用いられる。上記電気絶縁性シートに上記異物検知装置を用いることによって、上記電気絶縁性シートの品質安全性又は信頼性が向上され得る。
【００３０】
【発明の効果】
本発明によって、絶縁破壊距離の変化の影響を受けにくい、大きさが約５０μｍ以下の極小導電性異物でも精度よく検出できる異物検知装置を提供できる。また、本発明によって、電気絶縁性シートの厚さが薄くても導電性異物の大きさに応じて検出速度とコロナ放電出力をコントロールするのが容易であり、検出精度の信頼性に優れた異物検知装置を提供できる。
【図面の簡単な説明】
【図１】本発明の異物検知装置の概略を示す模式図である。
【図２】本発明の線条のコロナ放電電極を用いる場合の異物検知装置の概略を示す模式図である。
【符号の説明】
１        コロナ放電電極
２        電気絶縁性シート
３        ゴムローラ
４        検知器
５        ゴムローラ
６        交流電圧
７        整流ダイオード
【図１】
2004361184.tif 000002
【図２】
2004361184.tif 000003